(57)【特許請求の範囲】
【請求項１】
筒状に形成され且つ内側に筒状の相手側のコネクタハウジングが侵入する筒部と、前記筒部内に収容され且つ端子金具を収容する本体部とを備えたコネクタハウジングと、前記本体部に取り付けられ且つ該本体部の外周面と前記相手側のコネクタハウジングの内周面との間を水密に保つシール部材と、を備えたコネクタにおいて、
前記シール部材は、前記本体部の外周に沿う筒状に形成されたシール本体と、前記シール本体の外周面から該シール本体の外周方向に突出したリップと、を備え、
前記本体部が、前記シール本体よりも前記相手側のコネクタハウジングから離れた側に設けられるとともに、外表面が前記シール本体の外周面と同一面上となり且つ該外表面に前記相手側のコネクタハウジングの前記侵入方向の先端部が重ねられる支持部を備え、
前記支持部が、前記シール部材の前記シール本体から相手側のコネクタハウジングから離れる方向に向かって突設された係止突起に係合して、前記シール本体を前記本体部に取り付ける該本体部に設けられたロック部に設けられていることを特徴とするコネクタ。
【請求項２】
前記ロック部が、前記本体部の外周面から突出し且つ前記相手側のコネクタハウジングから離れる方向に延びたアーム状に形成されるとともに互いに間隔をあけた一対の前記支持部と、前記一対の支持部の先端部同士を連結する連結部と、を備えていることを特徴とする請求項１に記載のコネクタ。
【発明の詳細な説明】
【技術分野】
【０００１】
本発明は、電線の接続等に使用されるコネクタに関し、特に耐振動構造を備えたコネクタに関する。
【背景技術】
【０００２】
移動体としての自動車には、多種多様な電子機器が搭載されている。このため、前記自動車は、前記電子機器に電力や制御信号などを伝送するために、ワイヤハーネスを配索している。ワイヤハーネスは、複数の電線と、コネクタと、を備えている。電線は、導電性の芯線と、該芯線を被覆する絶縁性の被覆部と、を備えた所謂被覆電線である。そして、これらの電子機器とワイヤハーネスとは、それぞれが備えたコネクタ同士が嵌合することにより接続されている。
【０００３】
前述したコネクタとして、例えば、端子金具と、該端子金具を収容するコネクタハウジングと、シール部材と、を備えたコネクタが用いられている（例えば、特許文献１参照。）。端子金具は、導電性の板金からなり前記電線の芯線と電気的に接続する。
【０００４】
コネクタハウジングは、絶縁性の合成樹脂からなり、端子金具を収容した箱状の端子収容部と、この端子収容部の外側に該端子収容部と間隔をあけて設けられた筒状のフード部と、端子収容部の相手側コネクタハウジングの侵入方向先端側の外周面とフード部の前記侵入方向先端側の内周面とを連結する円環状の連結壁と、を備えている。連結壁には、当該連結壁を貫通し且つ端子収容部を挟んで相対する一対の係止孔が設けられている。
【０００５】
シール部材は、ゴムなどの弾性材料からなり、前述した端子収容部の外周に沿う筒状に形成されているとともに、該端子収容部の連結壁寄りの外周に取り付けられる。また、シール部材には、当該シール部材の前述した連結壁側の一端部から突出し且つ本体部を挟んで相対する一対の押圧部が設けられている。押圧部は、シール部材から離れた側の端部が、該シール部材の外周方向に向かって突出したＬ字状に形成されている。この押圧部には、前記端部から突出し且つ前述した係止孔に係合する係止突起が設けられている。
【０００６】
前述したコネクタは、コネクタハウジングの端子収容部とフード部との間に、相手側のコネクタハウジングが侵入して、シール部材がコネクタハウジングの端子収容部の外周面と相手側のコネクタハウジングの内周面との間に位置付けられて、これらのコネクタハウジングと相手側のコネクタハウジングとが嵌合する。そして、シール部材は、係止突起がコネクタハウジングの連結壁の係止孔に係合するとともに、押圧部が相手側のコネクタハウジングの先端部により前記連結壁に向かって押圧されて、コネクタハウジングの端子収容部の外周面と相手側のコネクタハウジングの内周面との間を水密に保つ。
【特許文献１】特開２００６−１５６０８１号公報
【発明の開示】
【発明が解決しようとする課題】
【０００７】
しかしながら、前述した特許文献１に開示されたコネクタは、シール部材がコネクタハウジングの本体部の外周面と相手側のコネクタハウジングの内周面との間に位置付けられていた。このため、相手側のコネクタハウジングが、振動によってガタつく問題があった。そして、このガタつきによって、端子金具の接点が摩耗して導通不良を起こす虞があり、最悪の場合は端子金具が破損する虞があった。
【０００８】
したがって、本発明は、コネクタハウジングと相手側のコネクタハウジングとのガタつきを抑えて、端子金具の導通不良を防ぐことができるコネクタを提供することを目的とする。
【課題を解決するための手段】
【０００９】
前記課題を解決し目的を達成するために、請求項１に記載された発明は、筒状に形成され且つ内側に筒状の相手側のコネクタハウジングが侵入する筒部と、前記筒部内に収容され且つ端子金具を収容する本体部とを備えたコネクタハウジングと、  前記本体部に取り付けられ且つ該本体部の外周面と前記相手側のコネクタハウジングの内周面との間を水密に保つシール部材と、を備えたコネクタにおいて、前記シール部材は、前記本体部の外周に沿う筒状に形成されたシール本体と、前記シール本体の外周面から該シール本体の外周方向に突出したリップと、を備え、前記本体部が、前記シール本体よりも前記相手側のコネクタハウジングから離れた側に設けられるとともに、外表面が前記シール本体の外周面と同一面上となり且つ該外表面に前記相手側のコネクタハウジングの前記侵入方向の先端部が重ねられる支持部を備え、前記支持部が、前記シール部材の前記シール本体から相手側のコネクタハウジングから離れる方向に向かって突設された係止突起に係合して、前記シール本体を前記本体部に取り付ける該本体部に設けられたロック部に設けられていることを特徴とするコネクタである。
【００１１】
請求項２に記載された発明は、請求項１に記載の発明において、前記ロック部が、前記本体部の外周面から突出し且つ前記相手側のコネクタハウジングから離れる方向に延びたアーム状に形成されるとともに互いに間隔をあけた一対の前記支持部と、前記一対の支持部の先端部同士を連結する連結部と、を備えていることを特徴とするものある。
【００１２】
請求項１に記載された発明によれば、コネクタハウジングの本体部が、シール部材のシール本体よりも相手側のコネクタハウジングから離れた側に設けられるとともに、外表面がシール本体の外周面と同一面上となり且つ該外表面に相手側のコネクタハウジングの先端部が重ねられる支持部を備えているので、コネクタハウジングと相手側のコネクタハウジングとが嵌合した際に、相手側のコネクタハウジングの先端部がコネクタハウジングの筒部と本体部との間でガタつくことを抑えることができる。また、支持部が、シール部材のシール本体から相手側のコネクタハウジングから離れる方向に向かって突設された係止突起に係合して、シール本体を本体部に取り付ける該本体部に設けられたロック部に設けられているので、シール本体を本体部に取付けるロック部によって、コネクタハウジングと相手側のコネクタハウジングとが嵌合した際に、相手側のコネクタハウジングの先端部がコネクタハウジングの筒部と本体部との間でガタつくことを抑えることができる。
【００１４】
請求項２に記載された発明によれば、ロック部が、本体部の外周面から突出し且つ相手側のコネクタハウジングから離れる方向に延びたアーム状に形成されるとともに互いに間隔をあけた一対の支持部と、該一対の支持部の先端部同士を連結する連結部と、を備えているので、ロック部が、一対の支持部の間にシール部材の係止突起を通して該係止突起を連結部と本体部との間に侵入させて、該連結部の相手側のコネクタハウジングから離れた側に係止突起の先端部を位置付けることで、係止突起に係合することができる。また、一対の支持アームを本体部の外周面から突出して設けることにより、コネクタハウジングの形状が複雑化することを抑制することができる。
【発明の効果】
【００１５】
以上説明したように、請求項１に記載の本発明は、コネクタハウジングと相手側のコネクタハウジングとが嵌合した際に、相手側のコネクタハウジングの先端部がコネクタハウジングの筒部と本体部との間でガタつくことを抑えることができる。このため、コネクタハウジングと相手側のコネクタハウジングとのガタつきを抑えて、端子金具の摩耗等による導通不良を防ぐことができる。また、シール本体を本体部に取付けるロック部によって、コネクタハウジングと相手側のコネクタハウジングとが嵌合した際に、相手側のコネクタハウジングの先端部がコネクタハウジングの筒部と本体部との間でガタつくことを抑えることができる。このため、部品点数及び組み付け作業工数の増加を抑制することができる。
【００１７】
請求項２に記載の本発明は、ロック部が、一対の支持部の間にシール部材の係止突起を通して該係止突起を連結部と本体部との間に侵入させて、該連結部の相手側のコネクタハウジングから離れた側に係止突起の先端部を位置付けることで、係止突起に係合することができる。このため、ロック部をシール部材の係止突起に該係止突起を本体部との間に挟んだ状態で係合させることができ、シール部材が取り付けられた本体部と筒部との間の間隔を小さくすることができる。よって、コネクタハウジングの小型化を図ることができる。
【００１８】
また、一対の支持アームを本体部の外周面から突出して設けることにより、コネクタハウジングの形状が複雑化することを抑制することができ、よって、コネクタハウジングを製造するための金型構造の複雑化を抑制することができる。
【発明を実施するための最良の形態】
【００１９】
以下、本発明の第一の実施形態にかかるコネクタを図１乃至図１７を参照して説明する。本発明の第一の実施形態にかかるコネクタ１は、図１４中に示す相手側のコネクタ２と嵌合して、自動車などに配索されるワイヤハーネスを構成する。
【００２０】
相手側のコネクタ２は、図１４乃至図１６に示すように、図示しない複数の雄型の端子金具（以下、雄端子と呼ぶ）と、雄型のコネクタハウジング（以下、雄ハウジングと呼ぶ）３と、を備えている。
【００２１】
複数の雄端子は、それぞれ、導電性の板金などからなり、電線（図示せず）の端末に取り付けられている。複数の雄端子は、それぞれ、前記電線と接続される電線接続部と、該電線接続部に連なる角柱状の雄タブとを一体に備えている。この雄タブは、雄ハウジング３と後述する雌ハウジング６とが嵌合した際に、該雌ハウジング６の本体部８の端子収容室３４内に侵入して、該端子収容室３４内の雌端子と電気的及び機械的に接続する。
【００２２】
雄ハウジング３は、絶縁性の合成樹脂等からなり、図１５に示すように、端子収容部４と、該端子収容部４に連なる筒状のフード部５とを備えている。端子収容部４は、複数の外壁１０を有した箱状に形成されており、内側に前述した雄端子の主に電線接続部を収容する。
【００２３】
フード部５は、端子収容部４の後述する雌ハウジング６と相対する一つの外壁１０（図１５及び図１６中、符号１０ａで示す）から突出し且つ該一つの外壁１０ａから雌ハウジング６に向かって延びた周壁１１を備えて、筒状に形成されている。フード部５は、内側に前述した雄端子の主に雄タブを収容する。
【００２４】
フード部５は、周壁１１の端子収容部４から離れた先端部１２側が、当該フード部５即ち雄ハウジング２の外表面に開口している。即ち、フード部５は、周壁１１の後述する雌ハウジング６の筒部７内に挿入される挿入方向の先端部１２側が、当該フード部５即ち雄ハウジング２の外表面に開口している。そして、フード部５は、後述する雌ハウジング６の筒部７内に収容され且つ内側に雌ハウジング６の本体部８を収容する。
【００２５】
また、フード部５には、図示しないガイドリブと、ロック突起１５とが設けられている。ガイドリブは、フード部５の周壁１１から該フード部５の外側に向かって突出するとともに、雄ハウジング３と後述する雌ハウジング６との嵌合方向Ｋ（図１５又は図１６に示す）に沿って延在している。ガイドリブは、フード部５の前記嵌合方向Ｋと直交する幅方向（図１６中の左右方向）に相対して一対設けられ且つ互いに平行に配されている。そして、一対のガイドリブは、後述する雌ハウジング６の筒部７のガイド凹部２６内に侵入して、雄ハウジング３と雌ハウジング６とを正しい向きで嵌合させる。
【００２６】
ロック突起１５は、フード部５の周壁１１から該フード部５の外側に向かって突出して形成されている。ロック突起１５は、後述する雌ハウジング６の筒部７に設けられたロックアーム２７の貫通孔２９ａに係合することで、雄ハウジング３と雌ハウジング６との嵌合を保持する。
【００２７】
前述した矢印Ｋ（図１５又は図１６に示す）は、雄ハウジング３と後述する雌ハウジング６とが嵌合する際に、これらが互いに近づく方向をなしているとともに、これらが互いに嵌合する方向をなしている。そして、前述した構成の雄ハウジング３は、特許請求の範囲に記載の相手側のコネクタハウジングに相当する。
【００２８】
コネクタ１は、図１に示すように、図示しない雌型の端子金具（以下、雌端子と呼ぶ）と、雌型のコネクタハウジング（以下、雌ハウジングと呼ぶ）６と、シール部材９と、を備えている。
【００２９】
雌端子は、導電性の板金などからなり、図示しない電線の端末に取り付けられている。雌端子は、前記電線と接続される電線接続部と、前述した雄端子の雄タブと接続される電気接触部とを一体に備えている。雌端子は、前述した雄ハウジング３と雌ハウジング６とが嵌合すると、雄ハウジング３の雄端子と電気的に接続する。この雌端子は、特許請求の範囲に記載の端子金具に相当する。
【００３０】
雌ハウジング６は、絶縁性の合成樹脂等からなり、図１又は図２に示すように、外側に筒状に形成された筒部７と、該筒部７内に収容され且つ前述した雌端子を収容する本体部８とを備えている。そして、この雌ハウジング６は、特許請求の範囲に記載のコネクタハウジングに相当する。
【００３１】
筒部７は、図１乃至図４に示すように、有底筒状に形成されており、底壁２０と、該底壁２０の外周縁から立設した周壁２１とを備えている。筒部７は、周壁２１の内周が前述した雄ハウジング３のフード部５の外周よりも大きく形成されている。筒部７は、周壁２１の底壁２０から離れた側、即ち雄ハウジング３と相対する側の一端部２２が、当該筒部７即ち雌ハウジング６の外表面に開口している。
【００３２】
そして、筒部７は、内側に本体部８を収容するとともに、周壁２１の内周面２５が本体部８の後述する外周面３３と間隔をあけて配されている。また、筒部７には、ガイド凹部２６と、ロックアーム２７とが設けられている。
【００３３】
ガイド凹部２６は、図２に示すように、筒部７の周壁２１の内周面２５から凹の溝状に形成されているとともに、雄ハウジング３と雌ハウジング６との嵌合方向Ｋ（図１５又は図１６に示す）に沿って延在している。ガイド凹部２６は、筒部７の前記嵌合方向Ｋと直交する幅方向（図２中の左右方向）に相対して一対設けられ且つ互いに平行に配されている。一対のガイド凹部２６には、それぞれ、前述した雄ハウジング３の各ガイドリブが侵入して、雄ハウジング３と雌ハウジング６とを正しい向きで嵌合させる。
【００３４】
ロックアーム２７は、図１又は図２及び図１５などに示すように、筒部７の周壁２１の雄ハウジング３から離れた側の他端部２３から立設した立設部２８と、該立設部２８の周壁２１から離れた側の端部に連なり且つ筒部７の他端部２３から一端部２２に向かう方向に延びたアーム部２９とを一体に備えている。アーム部２９には、貫通孔２９ａが設けられている。ロックアーム２７は、アーム部２９の貫通孔２９ａに前述した雄ハウジング３のロック突起１５が係合することで、雄ハウジング３と雌ハウジング６との嵌合を保持する。
【００３５】
本体部８は、図１又は図４に示すように、前述した雄ハウジング３と相対し且つ該雄ハウジング３の雄端子の雄タブを通す複数の孔３０ａが設けられた相対壁３０と、該相対壁３０の外縁から立設した周壁３１とを備えた箱状に形成されている。周壁３１の相対壁３０から離れた側の端部３２は、前述したフード部５の底壁２０の内面に連結されている。本体部８は、内部に複数の端子収容室３４が設けられている。本体部８は、各々の端子収容室３４内に前述した雌端子を収容する。
【００３６】
複数の端子収容室３４は、それぞれ、本体部８内に設けられた直線状の空間であり、長手方向が雄及び雌ハウジング３，６同士の嵌合方向Ｋと平行に形成されている。複数の端子収容室３４は、それぞれ、長手方向の両端が本体部８即ち雌ハウジング６の外表面に開口している。複数の端子収容室３４は、互いに平行に配されているとともに、本体部８の前記嵌合方向Ｋに直交する幅方向（図２中の左右方向）に沿って並設されている。端子収容室３４の内面には、可撓性を有して雌端子と係止可能な係止ランス（図示せず）が設けられている。この係止ランスは、雌端子に係止して、端子収容室３４内から該雌端子が抜け出ることを規制する。
【００３７】
また、本体部８には、シール部材９の後述する係止突起４５と係合するロック部３５が設けられている。ロック部３５は、本体部８の雄及び雌ハウジング３，６同士の嵌合方向Ｋに直交する幅方向（図２中の左右方向）に相対して一対設けられている。一対のロック部３５は、それぞれ、図３又は図４に示すように、本体部８の周壁３１の端部３２寄りに設けられており、一対の支持アーム３６と該支持アーム３６の先端部３７同士を連結する連結部３９とを備えて、平面形状がコ字状に形成されている。
【００３８】
一対の支持アーム３６は、それぞれ、本体部８の周壁３１の外周面３３から突出するとともに、前述したフード部５の一つの外壁１０ａに近づく方向、即ち雄ハウジング３から離れる方向に延びたアーム状に形成されている。即ち、一対の支持アーム３６は、それぞれ、前記一つの外壁１０ａから離れた側の基端部３８が周壁３１の外周面３３に連結され且つ該一つの外壁１０ａ側の先端部３７が周壁３１の外周面３３と間隔をあけて形成されている。
【００３９】
また、一対の支持アーム３６は、それぞれ、長手方向が雄及び雌ハウジング３，６同士の嵌合方向Ｋと平行に設けられている。そして、一対の支持アーム３６は、本体部８の前述した雄及び雌ハウジング３，６同士の嵌合方向Ｋと直交する厚み方向（図４中の上下方向）に互いに間隔をあけ且つ平行に設けられている。この支持アーム３６は、特許請求の範囲に記載の支持部を成している。
【００４０】
連結部３９は、角柱状に形成されており、前述した一対の支持アーム３６の先端部３７同士を連結している。連結部３９は、本体部８の周壁３１の外周面３３と間隔をあけて設けられている。
【００４１】
前述した構成のロック部３５は、一対の支持アーム３６の先端部３７が本体部８の周壁３１の外周面３３から離れる方向に弾性変形可能に形成されて、連結部３９が本体部８の周壁３１の外周面３３に接離（近づいたり離れたりすること）自在となっている。
【００４２】
シール部材９は、図１、図５及び図８に示すように、ゴム等の弾性材料から構成されており、シール本体４０と、リップ４３とを備えている。
【００４３】
シール本体４０は、本体部８の周壁３１の外周に沿うように筒状に形成されている。シール本体４０は、内側に本体部８を通して、該本体部８の周壁３１の端部３２寄りの外周面３３に取り付けられるとともに、前述したロック部３５の一対の支持アーム３６の雄ハウジング３側に配置されている。そして、シール本体４０は、該シール本体４０の外周面４１が一対の支持アーム３６の外表面３６ａと同一面上となるように形成されている。また、シール本体４０には、該シール本体４０の外周縁から突出する係止突起４５が設けられている。
【００４４】
係止突起４５は、シール本体４０の幅方向（図５中の左右方向）に相対して一対設けられている。一対の係止突起４５は、それぞれ、シール本体４０の外周縁から該シール本体４０の軸方向に沿って延びた角柱状に形成されている。一対の係止突起４５は、それぞれ、シール本体４０が雌ハウジング６の本体部８に取り付けられた際に、当該一対の係止突起４５の先端部３７が雄ハウジング３から離れる方向に向かって突出するように設けられている。
【００４５】
リップ４３は、シール本体４０の外周面４１から該シール本体４０の外周方向に突出した円環状に形成されている。リップ４３は、シール本体４０の外周面４１に複数設けられており、該シール本体４０の軸方向に沿って互いに間隔をあけて並設されている。
【００４６】
前述した構成のシール部材９は、シール本体４０が雌ハウジング６の本体部８に取り付けられて、雄及び雌ハウジング３，６が互いに嵌合すると、図１５に示すように、シール本体４０が雄ハウジング３のフード部５と雌ハウジング６の本体部８の周壁３１との間に位置付けられて、シール本体４０の複数のリップ４３がフード部５の内周面１４と本体部８の外周面３３との双方に密着して、これらの内周面１４と外周面３３との間を水密に保つ。
【００４７】
前述した構成のコネクタ１の雌ハウジング６と相手側のコネクタ２の雄ハウジング３とを嵌合させる際には、まず、雌ハウジング６と雄ハウジング３との嵌合前に、予め雌ハウジング６の本体部８の端子収容室３４内に電線付の雌端子を収容するとともに、雄ハウジング２の端子収容部４内に電線付きの雄端子を収容する。そして、雌ハウジング６の本体部８に、図５又は図８に示す組み付け治具５０を用いて、シール部材９を取り付ける。
【００４８】
組み付け治具５０は、平板状に形成された治具本体５１と該治具本体５１から突設され且つ互いに間隔をあけた一対の治具突起５２とを備えており、該一対の治具突起５２が治具本体５１長手方向に相対して二つ設けられている。即ち、係止突起５２は、治具本体５１から４つ突設されている。
【００４９】
そして、雌ハウジング６の本体部８にシール部材９を取り付けるには、まず、図８に示すように、雌ハウジング６の本体部８の端部３２側に、組み付け治具５０を相対させて、該組み付け治具５０の治具本体５１を本体部８に近づけていき、図５又は図９に示すように、一対の治具突起５２をそれぞれロック部３５の各支持アーム３６と本体部８との間に挿入する。すると、図１１に示すように、ロック部３５の連結部３９が本体部８から離れる方向に該ロック部３５の一対の支持アーム３６が弾性変形する。
【００５０】
次に、図６に示すように、シール部材９を該シール部材９のシール本体４０の係止突起４５側から雌ハウジング６の筒部７と本体部８との間に挿入して、シール本体４０の内側に本体部８を通して該シール本体４０を本体部８の端部側に向かって押し込んでいく。すると、図１２に示すように、シール本体４０の係止突起４５がロック部３５の一対の支持アーム３６の間に挿入されて、該係止突起４５が連結部３９と本体部８との間に侵入する。
【００５１】
そして、雌ハウジング６から取付け治具５０の治具本体５１を引き離して、一対の治具突起５２をロック部３５の各支持アーム３６と雌ハウジング６の本体部８との間から引き抜く。すると、図１３に示すように、ロック部３５の連結部３９が本体部８に近づく方向に該ロック部３５の一対の支持アーム３６が弾性復元することで、シール部材９の係止突起４５の先端部４６がロック部３５の連結部３９の一対の支持アーム３６から離れた側、即ち雄ハウジング３から離れた側に位置付けられて、該係止突起４５にロック部３５が係合する。このとき、係止突起４５は雌ハウジング６の本体部８の外周面３３に密着する。
【００５２】
こうして、シール本体４０がロック部３５の一対の支持アーム３６の雄ハウジング３側に位置付けられるとともに、係止突起４５がロック部３５と係合することによって、シール本体４０が雌ハウジング６の本体部８の周壁３１の外周に取り付けられて、シール部材９が雌ハウジング６の本体部８に取り付けられる。
【００５３】
続いて、コネクタ１の雌ハウジング６と相手側のコネクタ２の雄ハウジング３とを嵌合させるには、まず、コネクタ１の雌ハウジング６と相手側のコネクタ２の雄ハウジング３とを相対させる。そして、雌ハウジング６と雄ハウジング３とを互いに近づけていき、雌ハウジング６の筒部７と本体部８との間に雄ハウジング３のフード部５の周壁１１の先端部１２を侵入させていく。
【００５４】
このとき、雄ハウジング３のフード部５に設けられた一対のガイドリブが雌ハウジング６の筒部７のガイド凹部２６内に侵入して、雄ハウジング３のフード部５を雌ハウジング６の筒部７内に正しい向きで侵入させる。
【００５５】
すると、雌ハウジング６の筒部７に設けられたロックアーム２７のアーム部２９が雄ハウジング３のロック突起１５に接触して、該アーム部２９が弾性変形してロック突起１５に押し上げられる。さらに、雌ハウジング６と雄ハウジング３とを近づけていくと、雄ハウジング３のフード部５の先端部１２が雌ハウジング６の筒部７の周壁２１とシール部材９のシール本体４０との間に侵入するとともに、ロックアーム２７のアーム部２９が雄ハウジング３のロック突起１５によってさらに押し上げられる。
【００５６】
そして、図１５又は図１６に示すように、ロックアーム２７のアーム部２９がロック突起１５を乗り越えて、該アーム部２９の貫通孔２９ａにロック突起１５が侵入して係合するとともに、雄ハウジング３のフード部５の周壁１１の先端部１２が、図１７に示すように、雌ハウジング６の筒部７と本体部８との間の該本体部８の周壁３１の端部３２側まで侵入して、フード部５の先端部１２が雌ハウジング６の本体部８に設けられた一対のロック部３５の各支持アーム３６の外表面３６ａに重なる。
【００５７】
こうして、コネクタ１の雌ハウジング６と、相手側のコネクタ２の雄ハウジング３とが嵌合する。
【００５８】
本実施形態によれば、雌ハウジング６の本体部８が、シール部材９のシール本体４０よりも雄ハウジング３から離れた側に設けられるとともに、外表面３６ａがシール本体４０の外周面４１と同一面上となり且つ該外表面３６ａに雄ハウジング３のフード部５の先端部１２が重ねられる支持アーム３６を備えている。
【００５９】
このため、雌ハウジング６と雄ハウジング３とが嵌合した際に、雄ハウジング３のフード部５の先端部１２が雌ハウジング６の筒部７と本体部８との間でガタつくことを抑えることができる。したがって、雌ハウジング６と雄ハウジング３とのガタつきを抑えて、雌端子及び雄端子の摩耗等による導通不良を防ぐことができる。
【００６０】
また、支持アーム３６が、シール部材９のシール本体４０から雄ハウジング３から離れる方向に向かって突設された係止突起４５に係合して、シール本体４０を雌ハウジング６の本体部８に取り付ける該本体部８に設けられたロック部３５に設けられている。
【００６１】
このため、シール部材９のシール本体４０を雌ハウジング６の本体部８に取付けるロック部３５によって、雌ハウジング６と雄ハウジング３とが嵌合した際に、雄ハウジング３のフード部５の先端部１２が雌ハウジング６の筒部７と本体部８との間でガタつくことを抑えることができる。したがって、部品点数及び組み付け作業工数の増加を抑制することができる。
【００６２】
さらに、ロック部３５が、雌ハウジング６の本体部８の外周面３３から突出し且つ雄ハウジング３から離れる方向に延びたアーム状に形成されるとともに互いに間隔をあけた一対の支持アーム３６と、該一対の支持アーム３６の先端部３７同士を連結する連結部３９と、を備えている。
【００６３】
このため、ロック部３５が、一対の支持アーム３６の間にシール部材９のシール本体４０の係止突起４５を通して該係止突起４５を連結部３９と雌ハウジング６の本体部８との間に侵入させて、該連結部３９の雄ハウジング３から離れた側に係止突起４５の先端部４６を位置付けることで、係止突起４５に係合することができる。したがって、ロック部３５をシール部材９の係止突起４５に該係止突起４５を雌ハウジング６の本体部８との間に挟んだ状態で係合させることができ、シール部材９が取り付けられた本体部８と筒部７との間の間隔を小さくすることができる。よって、雌ハウジング６の小型化を図ることができる。
【００６４】
また、一対の支持アーム３６を雌ハウジング６の本体部８の外周面３３から突出して設けることにより、雌ハウジング６の形状が複雑化することを抑制することができ、よって、雌ハウジング６を製造するための金型構造の複雑化を抑制することができる。
【００６５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６６】
【図１】本発明の実施形態にかかるコネクタを示す分解斜視図である。
【図２】図１に示されたコネクタのコネクタハウジングを相手側のコネクタハウジングと相対示する側から見た平面図である。
【図３】図２中のＩＩＩ−ＩＩＩ線に沿う断面図である。
【図４】図２中のＩＶ−ＩＶ線に沿う断面図である。
【図５】図３に示されたコネクタハウジングに組み付け治具が取り付けられた状態を示す説明図である。
【図６】図５に示されたシール部材をコネクタハウジングに取り付ける途中の状態を示す説明図である。
【図７】図６に示されたシール部材をコネクタハウジングに取り付けた状態を示す説明図である。
【図８】図４に示されたコネクタハウジングにシール部材及び組み付け治具を相対させた状態を示す説明図である。
【図９】図８に示されたシール部材をコネクタハウジングに取り付ける途中の状態を示す説明図である。
【図１０】図９に示されたシール部材をコネクタハウジングに取り付けた状態を示す説明図である。
【図１１】図５中のＸＩ部を拡大して示す断面図である。
【図１２】図６中のＸＩＩ部を拡大して示す断面図である。
【図１３】図７中のＸＩＩＩ部を拡大して示す断面図である。
【図１４】図１に示されたコネクタハウジングに相手側のコネクタハウジングが嵌合した状態を示す平面図である。
【図１５】図１４中のＸＶ−ＸＶ線に沿う断面図である。
【図１６】図１４中のＸＶＩ−ＸＶＩ線に沿う断面図である。
【図１７】図１６中のＸＶＩＩ部を拡大して示す断面図である。
【符号の説明】
【００６７】
１      コネクタ
３      雄ハウジング（相手側のコネクタハウジング）
６      雌ハウジング（コネクタハウジング）
７      筒部
８      本体部
９      シール部材
１２    先端部
１４    内周面
３３    外周面
３５    ロック部
３６    支持アーム（支持部）
３６ａ  外表面
３７    先端部
３９    連結部
４０    シール本体
４１    外周面
４３    リップ
４５    係止突起
【図１】
0005198107.tif 000002
【図２】
0005198107.tif 000003
【図３】
0005198107.tif 000004
【図４】
0005198107.tif 000005
【図５】
0005198107.tif 000006
【図６】
0005198107.tif 000007
【図７】
0005198107.tif 000008
【図８】
0005198107.tif 000009
【図９】
0005198107.tif 000010
【図１０】
0005198107.tif 000011
【図１１】
0005198107.tif 000012
【図１２】
0005198107.tif 000013
【図１３】
0005198107.tif 000014
【図１４】
0005198107.tif 000015
【図１５】
0005198107.tif 000016
【図１６】
0005198107.tif 000017
【図１７】
0005198107.tif 000018